(57)【要約】【課題】伝送エラーが発生した場合でも、その伝送エラーを検知してリカバリ処理を実行し、画像又は音声を出力装置が適正に出力できるようにした再生装置、及び再生システムを提供する。【解決手段】光ディスク装置１は、再生が指示されると、設定した形式で画像データと音声データの出力を開始する。これにより、画像データと音声データがテレビジョン１００に入力するため、テレビジョン１００は再生を開始する。テレビジョン１００は、再生中、受信される画像データと音声データの受信形式が変化したかどうか監視する。受信形式が変化していれば、テレビジョン１００は、その受信形式を光ディスク装置１に送信する。再生中、受信形式が送信されてきた場合、光ディスク装置１はその受信形式がＲＡＭ４Ａ上のＥＤＩＤに含まれるかどうか判定する。受信形式が含まれていない場合、光ディスク装置１は、伝送エラーが発生したと認識し、リカバリ処理を実行する。【選択図】  図４
2010161529.tif 000002
【特許請求の範囲】
【請求項１】
コンテンツデータが記録されているメディアから、該コンテンツデータを読取る読取手段と、
前記読取手段で読取られた前記コンテンツデータを所定の形式で出力する再生手段と、を備え、前記再生手段から出力される前記コンテンツデータを受信して処理し、前記コンテンツデータに基づく画像又は音声の少なくとも一方を出力する出力装置に、インタフェースを介して接続される再生装置において、
前記再生手段が前記コンテンツデータを出力する前に前記出力装置と前記インタフェースを介して通信して、前記出力装置が対応する出力画像の全形式又は出力音声の全形式の内の少なくとも一方の全形式を示す対応形式情報を取得する制御手段を備え、
前記制御手段は、
前記再生手段が前記コンテンツデータを出力する再生時に、前記出力装置が受信している前記コンテンツデータの形式である受信形式を前記出力装置から前記インタフェースを介して取得し、
前記受信形式が前記対応形式情報に含まれているかどうか判定し、
前記受信形式が前記対応形式情報に含まれていないと判定した時、前記再生手段による前記コンテンツデータの出力を停止して、所定時間経過後に前記コンテンツデータの出力を前記再生手段に再開させるリカバリ処理を実行することを特徴とする再生装置。
【請求項２】
前記形式は、前記コンテンツデータに含まれる画像データの解像度およびアスペクト比、前記コンテンツデータに含まれる音声データの符号化方式である音声フォーマットであり、
前記再生手段は、前記読取手段で読取られた前記コンテンツデータを、前記制御手段により設定された前記解像度、前記アスペクト比、及び前記音声フォーマットで出力することを特徴とする請求項１に記載の再生装置。
【請求項３】
前記制御手段は、前記リカバリ処理を実行した回数をカウントし、そのカウント値が所定回数に達すると、前記再生手段による前記コンテンツデータの出力を停止して、ユーザからの操作入力を待ち受ける入力待ち状態へ移行することを特徴とする請求項１又は２に記載の再生装置。
【請求項４】
前記インタフェースは、ＨＤＭＩ規格のインタフェースであり、
前記メディアは、光ディスク、又はハードディスクであり、
前記出力装置は、テレビ受像機、モニタ、又はスピーカであることを特徴とする請求項１から３のいずれかに記載の再生装置。
【請求項５】
請求項１から４のいずれかに記載の再生装置と、
請求項１から４のいずれかに記載の出力装置と、を備え、
前記出力装置は、前記再生手段が前記コンテンツデータを出力している再生時に、受信している前記コンテンツデータの受信形式が変化すると、変化後の受信形式を前記インタフェースを介して前記再生装置に送信する送信手段を有することを特徴とする再生システム。
【発明の詳細な説明】
【技術分野】
【０００１】
本発明は、メディアからコンテンツデータを読取って、予め設定した形式で出力装置に出力する再生装置、及び該再生装置と該出力装置とを備える再生システムに関するものである。
【背景技術】
【０００２】
従来、ＣＤ、ＤＶＤ等のメディアに記録されている画像や音声を再生する再生装置が実用化され、一般に普及している。このような再生装置には、近年、画像と音声を出力するテレビジョン等の出力装置がインタフェースを介して接続される。このインタフェースは、例えば HDMI（High  Definition  Multimedia  Interface）である。ユーザは、このテレビジョン等において、再生装置から出力された画像データに基づく画像、及び音声データに基づく音声を視聴することができる。
【０００３】
このような再生装置において、再生装置に接続される出力装置のスペックは各々異なる。そのため、再生装置は、画像音声データ（以下、ＡＶデータと称する）の出力前（即ち再生前）に、インタフェースを介して出力装置と通信し、出力装置からＥＤＩＤ(Extended Display Identification Data)を取得する。ＥＤＩＤは、出力装置のスペック（仕様や特性）を示す情報である。そして、再生装置は、取得したＥＤＩＤに基づいて、出力装置が対応しているＡＶデータの形式に設定する。そして、再生装置は、設定された形式でＡＶデータを出力装置に出力する。例えばHDMI規格では、テレビジョンが対応している解像度をインタフェースを介して取得できるため、再生装置は、テレビジョンが対応している解像度の範囲でＡＶデータをテレビジョンに出力している。これによりテレビジョンは、インタフェースを介して受信したＡＶデータを処理し、ＡＶデータに基づく画像と音声を出力する。
なお、特許文献１では、電子機器装置が提案されている。
【先行技術文献】
【特許文献】
【０００４】
【特許文献１】特開２００８−２１９４６８公報
【発明の概要】
【発明が解決しようとする課題】
【０００５】
しかしながら、出力装置が対応している形式でＡＶデータを再生装置が出力しているにも係わらず、ＡＶデータが再生装置からインタフェースを介して出力装置へ伝送される間で伝送エラーが発生し、ＡＶデータの形式が途中で変化してしまうことがあった。その主な原因には、再生装置と出力装置を繋ぐケーブルの経年劣化等が挙げられる。
【０００６】
ＡＶデータの形式が途中で変化してしまうと、出力装置に受信された段階でＡＶデータの形式が出力装置に対応していなくなり、出力装置はＡＶデータを適正に出力できなくなってしまう。さらに、再生装置側も、出力装置が対応しているはずの形式でＡＶデータを出力しているため、上記伝送エラーを検知することができない。そのため、再生装置も、伝送エラーが発生した場合、伝送エラーに対処することができない。
【０００７】
従って、上記伝送エラーが発生した場合、再生装置から出力された画像データに基づく画像、又は音声データに基づく音声がテレビジョン等から適正に出力されないという問題があった。また、上記伝送エラーを検知できないため、再生装置及び出力装置は、画像又は音声が適正に出力されない状態から復帰できないという問題があった。
【０００８】
本発明はこのような従来の課題を解決しようとするものであり、伝送エラーが発生した場合でも、その伝送エラーを検知してリカバリ処理を実行し、画像又は音声を出力装置が適正に出力できるようにした再生装置、及び再生システムを提供することを目的とする。
【課題を解決するための手段】
【０００９】
本発明の再生装置は、前記課題を解決するために以下の構成を備えている。
【００１０】
（１）コンテンツデータが記録されているメディアから、該コンテンツデータを読取る読取手段と、
前記読取手段で読取られた前記コンテンツデータを所定の形式で出力する再生手段と、を備え、前記再生手段から出力される前記コンテンツデータを受信して処理し、前記コンテンツデータに基づく画像又は音声の少なくとも一方を出力する出力装置に、インタフェースを介して接続される再生装置において、
前記再生手段が前記コンテンツデータを出力する前に前記出力装置と前記インタフェースを介して通信して、前記出力装置が対応する出力画像の全形式又は出力音声の全形式の内の少なくとも一方の全形式を示す対応形式情報を取得する制御手段を備え、
前記制御手段は、
前記再生手段が前記コンテンツデータを出力する再生時に、前記出力装置が受信している前記コンテンツデータの形式である受信形式を前記出力装置から前記インタフェースを介して取得し、
前記受信形式が前記対応形式情報に含まれているかどうか判定し、
前記受信形式が前記対応形式情報に含まれていないと判定した時、前記再生手段による前記コンテンツデータの出力を停止して、所定時間経過後に前記コンテンツデータの出力を前記再生手段に再開させるリカバリ処理を実行することを特徴とする。
【００１１】
この構成において、再生装置は、再生が指示されると、メディアに記録されているコンテンツデータを設定した形式で出力する。メディアは、例えば光ディスク、磁気ディスク、又は半導体メモリで構成される。これにより、コンテンツデータがインタフェースを介して出力装置に入力するため、出力装置は再生を開始する。
再生装置は、再生中、出力装置からコンテンツデータの受信形式をインタフェースを介して取得する。そして、その受信形式が対応形式情報に含まれていない場合、再生装置は、伝送エラーが発生したと認識し、リカバリ処理を実行する。
以上より、伝送エラーが発生した場合でも、その伝送エラーを検知できる。そして、上記リカバリ処理の実行により、画像と音声を適正に出力できない状態から、画像と音声を適正に出力できる状態へ復帰させることができる。
【００１２】
（２）前記形式は、前記コンテンツデータに含まれる画像データの解像度およびアスペクト比、前記コンテンツデータに含まれる音声データの符号化方式である音声フォーマットであり、
前記再生手段は、前記読取手段で読取られた前記コンテンツデータを、前記制御手段により設定された前記解像度、前記アスペクト比、及び前記音声フォーマットで出力することを特徴とする。
【００１３】
（３）前記制御手段は、前記リカバリ処理を実行した回数をカウントし、そのカウント値が所定回数に達すると、前記再生手段による前記コンテンツデータの出力を停止して、ユーザからの操作入力を待ち受ける入力待ち状態へ移行することを特徴とする。
【００１４】
この構成では、リカバリ処理を実行しても画像と音声を適正に出力できる状態へ復帰しない場面を想定している。上記リカバリ処理の実行回数に制限を設けることで、画像と音声を適正に出力できない状態から、画像と音声を適正に出力できる状態又は入力待ち状態へ復帰させることができる。
【００１５】
（４）前記インタフェースは、ＨＤＭＩ規格のインタフェースであり、
前記メディアは、光ディスク、又はハードディスクであり、
前記出力装置は、テレビ受像機、モニタ、又はスピーカであることを特徴とする。
【００１６】
また、本発明の再生システムは、前記課題を解決するために以下の構成を備えている。
【００１７】
（５）上記（１）から（４）のいずれかに記載の再生装置と、
上記（１）から（４）のいずれかに記載の出力装置と、を備え、
前記出力装置は、前記再生手段が前記コンテンツデータを出力している再生時に、受信している前記コンテンツデータの受信形式が変化すると、変化後の受信形式を前記インタフェースを介して前記再生装置に送信する送信手段を有することを特徴とする。
【００１８】
この構成における再生システムは、上記（１）の再生装置を用いる。
これにより、上記（１）と同様の効果を奏する。
【発明の効果】
【００１９】
この発明によれば、伝送エラーが発生した場合でも、その伝送エラーを検知できる。そして、リカバリ処理の実行により、画像と音声を適正に出力できない状態から、画像と音声を適正に出力できる状態へ復帰させることができる。
【図面の簡単な説明】
【００２０】
【図１】本発明の実施形態である光ディスク装置の主要な構成を示すブロック図
【図２】上記光ディスク装置に接続されるテレビ受像機の主要な構成を示すブロック図
【図３】上記光ディスク装置と上記テレビ受像機の両制御部が電源オン時に行う動作を示すフローチャート
【図４】ＲＡＭ上に展開されるＥＤＩＤの一例を示す図
【図５】上記光ディスク装置と上記テレビ受像機の両制御部が再生時に行う動作を示すフローチャート
【発明を実施するための形態】
【００２１】
以下、本発明の実施形態である光ディスク装置について説明する。
【００２２】
図１は、本発明の実施形態である光ディスク装置の主要な構成を示すブロック図である。光ディスク装置１は、装置本体にセットされている光ディスク９０からデータを読取るピックアップヘッド２（以下、PUヘッド２と称する。）と、RFアンプなどの再生部３と、装置本体１の各部の動作を制御する制御部４と、ユーザからの入力操作を受け付ける操作部５と、データを記憶する記憶部６と、情報を表示する表示部７と、画像信号を出力する画像出力部８と、音声信号を出力する音声出力部９と、HDMIポート２０と、を備えている。
【００２３】
光ディスク９０は、ＤＶＤ（Digital Versatile Disk）であり、光ディスク装置１は、所謂ＤＶＤプレーヤである。光ディスク９０には、テレビ番組などのコンテンツデータが記録されている。
【００２４】
また、光ディスク装置１は、HDMIポート２０に差し込まれたHDMIケーブル２１を介して、HDMI規格対応のテレビ受像機（以下、テレビジョンと称する）１００に接続されている。この実施形態では、光ディスク装置１とテレビジョン１００とで再生システムを構成している。
【００２５】
ここで、ＰＵヘッド２が、本発明の「読取手段」に相当する。また、HDMIポート２０及びHDMIケーブル２１が、本発明の「インタフェース」に相当する。また、再生部３、画像出力部８及び音声出力部９が、本発明の「再生手段」に相当する。また、テレビジョン１００が、本発明の「出力装置」に相当する。
【００２６】
なお、ＨＤＭＩは、High  Definition  Multimedia  Interfaceの略であり、ＤＶＤプレーヤ等の再生装置からテレビ受像機やプロジェクタ等の出力装置へディジタルＡ／Ｖ信号を伝送するためのインタフェースである。ＨＤＭＩは、従来の規格であるＤＶＩ（Digital   Visual  Interface  for  Computer）Ver1.0を拡張したものである。具体的には、ＤＶＩは画像情報のみを送信する規格であるのに対し、ＨＤＭＩは、画像情報の他、音声情報およびその他の情報も一のケーブルで送信できる規格である。さらに、ＨＤＭＩは、高品質のマルチチャンネル音声と高解像度の各種フォーマットの画像信号（映像信号）の伝送が可能である。ＨＤＭＩは、DDC（Display  Date  Channel）により、テレビジョン１００が光ディスク装置１に送信する情報を伝送することができる。DDCは、通信形式の名称である。
【００２７】
PUヘッド２は、図示しないレーザダイオード（ＬＤ）、コリメータレンズ、ビームスプリッタ、対物レンズ、フォトディテクタ、スレッドモータ、及び２軸のアクチュエータを備えている。
【００２８】
ＰＵヘッド２は、光ディスク９０の半径方向に延びる軸に移動自在に取り付けられている。スレッドモータが、ＰＵヘッド２を光ディスク９０の半径方向に移動する。
【００２９】
ＬＤは、レーザ光を出力する光源であり、フォトディテクタは、複数の受光素子で形成されており、光ディスク９０からの反射光を検出する。フォトディテクタは、例えば、受光領域がほぼ均等に４分割されており、４つの受光領域を形成している。
【００３０】
対物レンズは、光ディスク９０に対するレーザ光の照射位置を調節する。また、２軸のアクチュエータは、対物レンズを光ディスク９０に接離する方向、及び光ディスク９０の半径方向に移動させる。
【００３１】
まず、再生動作を行う構成について説明する。
【００３２】
ＰＵヘッド２は、光ディスク９０に対して読取パワーのレーザ光を照射し、光ディスク９０からの反射光をフォトディテクタで検出する。これにより、光ディスク９０に記録されている情報を光学的に読み出す。
【００３３】
再生部３は、ＰＵヘッド２における複数の受光素子の出力に基づいてＲＦ信号を生成し、該ＲＦ信号を増幅する。そして、再生部３は、該ＲＦ信号を処理して画像データと音声データとを取り出し、それぞれデコードする。ここで、取り出される画像データは、例えばＭＰＥＧでエンコードされている。また、取り出される音声データは、例えばＭＰＥＧ、AC３でエンコードされている。そして、再生部３は、音声データを音声出力部９に、画像データを画像出力部８に、両データの同期を取りながら、それぞれ出力する。
【００３４】
画像出力部８は、制御部４によって設定された形式で、伸長された画像データをディジタルの再生画像信号としてテレビジョン１００に出力する。この形式は、例えば解像度、アスペクト比である。ここで、画像出力部８の出力形式について説明する。例えば、光ディスク９０に記憶された画像が１２８０×１０２４画素（ピクセル）のいわゆるＳＸＧＡの画像であり、テレビジョン１００が６４０×５１２画素の画像を表示可能である場合、水平方向の解像度が丁度１／２なので、画像出力部８は、水平方向の解像度を落した状態で出力する。また、このアスペクト比では、光ディスク９０のコンテンツが１６：９で記録されている場合であってテレビジョン１００の画面サイズが４：３である場合、画像出力部８は、画像データを１６：９のレターボックスに変換して出力する。しかし、光ディスク９０に記録された画像の形式とテレビジョン１００の対応する画像の形式とが一致する場合、画像出力部８は、解像度やアスペクト比の変換処理を行わずに出力する。
【００３５】
一方、音声出力部９は、制御部４により設定された形式で、伸長された音声データをディジタルの再生音声信号として外部のテレビジョン１００に出力する。この形式は、例えば音声フォーマットである。音声の出力形式についても画像の出力形式と同様に、例えば光ディスク９０に記録されている音声フォーマットが５、１ＣＨのＡＣ３であり、テレビジョン１００がこの形式に対応していれば、音声出力部９は、５、１ＣＨサラウンドシステムに対応する再生音声信号（センター、左、右、リア左、リア右、ウーファー）をテレビジョン１００に出力する。
【００３６】
音声出力部９及び画像出力部８は、HDMIポート２０に差し込まれたHDMIケーブル２１を介してテレビジョン１００に繋がっている。音声出力部９及び画像出力部８は、上記のディジタル信号を、ＨＤＭＩケーブル２１を介して、ＴＭＤＳ（Transition  Minimized  Differential  Signaling）方式でテレビジョン１００に送信する。
【００３７】
図２は、上記テレビ受像機の主要な構成を示すブロック図である。テレビジョン１００は、ＨＤＭＩケーブル２１に接続されるHDMIポート１２０と、HDMIポート１２０に入力された画像信号を処理する画像処理部１０１と、その画像信号に基づく画像を表示する表示部１０２と、HDMIポート１２０に入力された音声信号を処理する音声処理部１０３と、その音声信号に基づく音声を出力するスピーカ１０４と、テレビジョン１００の各部の動作を制御する制御部１０５と、を備える。テレビジョン１００は、ＨＤＭＩ規格に対応したディジタルテレビである。ここで、HDMIポート２０、HDMIケーブル２１、及びHDMIポート１２０が、本発明の「インタフェース」に相当する。また、制御部１０５が、本発明の「送信手段」に相当する。
【００３８】
ＨＤＭＩケーブル２１を介してHDMIポート１２０に入力された再生画像信号は、画像処理部１０１に入力される。
画像処理部１０１は、再生画像信号に対してＤＡ変換等を行い、表示部１０２に出力する。表示部１０２は、例えばLCD（Liquid Crystal Display）で構成される。表示部１０２は、再生画像信号に基づく画像を画面上に表示する。
【００３９】
一方、ＨＤＭＩケーブル２１を介してHDMIポート１２０に入力された再生音声信号は、音声処理部１０３に入力される。
音声処理部１０３は、再生音声信号に対してＤＡ変換等を行い、スピーカ１０４に出力する。スピーカ１０４は、再生音声信号に基づく音声を放音する。
【００４０】
以上の構成により、ユーザは、このテレビジョン１００において、表示部１０２で表示される画像、及びスピーカ１０４から放音される音声を視聴することができる。
【００４１】
なお、この実施形態では、出力装置としてテレビジョン１００を説明しているが、表示機能だけのモニタでも構わない。この場合、モニタは、ＥＤＩＤの通信において、同モニタが対応する出力画像の全形式だけ（即ち画像のスペック）が記述されたＥＤＩＤを光ディスク装置１に送信する。
【００４２】
図１に戻り、操作部５には、ユーザが光ディスク装置１に対して各種の命令（コマンド）を入力するための複数のキーが設けられている。この複数のキーには、光ディスク９０の再生を実行するための再生キー（不図示）、装置本体１の電源オンと電源オフを切替える電源キー（不図示）、が設けられている。光ディスク装置１に対してユーザが入力したコマンドは制御部４に伝送される。
【００４３】
記憶部６は、例えばＥＥＰＲＯＭで構成されている。記憶部６は、装置本体１の各部の制御方法が記述された制御プログラムを記憶する。
【００４４】
ＨＤＭＩポート２０は、ＨＤＭＩケーブル２１により、光ディスク装置１とテレビジョン１００との接続の有無を検出している。具体的には、ＨＤＭＩケーブル２１は、ＨＰＤ（Hot  Plug  Detector）機能を有し、このＨＰＤから、接続の有無の情報を受け取る。ＨＤＭＩポート２０は、ＨＰＤから受け取った接続の有無の情報を、装置本体内部の通信線を介して制御部４に送信する。
なお、テレビジョン１００のHDMIポート１２０もＨＤＭＩポート２０と同様の構成となっている。
【００４５】
制御部４は、例えばマイクロコンピュータで構成されている。また、制御部４は、上記制御プログラムで処理されるデータを展開するためのワークフィールドとしてのＲＡＭ４Ａと、後述のリカバリ処理を実行した回数をカウントするカウンタ（不図示）と、を内蔵する。制御部４は、光ディスク装置１にユーザから入力された命令に応じて光ディスク装置１の各部を制御する。
また、制御部４は、ＨＤＭＩケーブル２１を介してテレビジョン１００の制御部１０５と通信する。
【００４６】
図３は、上記光ディスク装置と上記テレビ受像機の両制御部が電源オン時に行う動作を示すフローチャートである。図４は、ＲＡＭ４Ａ上に展開されるＥＤＩＤの内容を示す図である。ここで、ＥＤＩＤは、本発明の「対応形式情報」に対応する情報である。
【００４７】
電源キーが押下されると、制御部４と制御部１０５は、光ディスク装置１とテレビジョン１００との接続を検知して、ＨＤＭＩケーブル２１を介してＥＤＩＤの通信を行う（Ｓ１、Ｓ１０１）。制御部１０５は、ＥＤＩＤの通信において、不図示のＲＯＭに予め保存されているＥＤＩＤをＨＤＭＩポート１２０からＨＤＭＩケーブル２１を介して制御部４に送信する（Ｓ１０２）。そして、制御部１０５は、光ディスク装置１からの入力信号を待ち受ける待機状態に移行する。ここで、ＥＤＩＤは、テレビジョン１００のスペック（仕様や特性）を示す情報であり、ＥＤＩＤには、テレビジョン１００が対応する出力画像の全形式又は出力音声の全形式が記述されている。出力画像の形式とは、例えば解像度、アスペクト比、カラーフォーマット（例えばＹ：Ｃｂ：Ｃｒ＝４：４：４）、カラー深み（例えば３０ビット）である。また、音声画像の形式とは、例えばサンプリング周波数（例えば４ｋＨｚ）、コーディングタイプ（ＰＣＭなど）やチャンネル数（例えば２ＣＨ）を示す音声フォーマット、フロントＬＲなどのスピーカの型を示すスピーカ情報である。
【００４８】
ＥＤＩＤの通信によりＥＤＩＤがＨＤＭＩポート２０で受信されると、ＥＤＩＤは、制御部４のＲＡＭ４Ａに展開される（Ｓ２のＹ）。これにより、制御部４は、テレビジョン１００が対応する出力画像の全形式又は出力音声の全形式を認識する（図３参照）。
【００４９】
制御部４は、画像出力部８及び音声出力部９が出力するディジタルデータの形式を、該ＥＤＩＤに基づいて設定する（Ｓ３）。そして、制御部４は、ユーザからの操作入力を待ち受ける待機状態に移行する。
【００５０】
図５は、上記光ディスク装置と上記テレビ受像機の両制御部が再生時に行う動作を示すフローチャートである。この動作は、図３に示す動作の続きの動作である。
【００５１】
制御部４は、再生キーが操作されると（Ｓ４）、Ｓ３において設定した形式で画像データと音声データの出力を開始するよう指示する（Ｓ５）。これにより、再生画像信号と再生音声信号がテレビジョン１００に入力するため、テレビジョン１００の制御部１０５は、再生を開始する（Ｓ１０３）。即ち、再生画像信号に基づく画像が表示部１０２の画面上で表示され、再生音声信号に基づく音声がスピーカ１０４から放音される。
なお、制御部４は、Ｓ５と同時に、これから出力する画像データの形式と音声データの形式を制御部１０５に通知しても構わない。
【００５２】
制御部４は、再生中、制御部１０５から受信形式が送信されてきたかどうか判定する（Ｓ６、Ｓ７）。
【００５３】
テレビジョン１００の制御部１０５は、再生中、ＨＤＭＩポート１２０で受信される画像データと音声データの形式である受信形式が変化したかどうか監視する（Ｓ１０４、Ｓ１０５）。この監視は、例えば、受信形式を再生中に実際に調べ、調べた受信形式が、制御部４から通知された画像データの形式と音声データの形式とに一致するかどうか判定する第１の方法、受信形式を再生開始時に実際に調べ、再生中に実際に調べた受信形式が、再生開始時の受信形式に一致するかどうか判定する第２の方法、のいずれかの方法により行われる。ここで、受信形式が変化する場合とは、光ディスク９０に記録されているコンテンツデータの形式がシーンの切り換わり等によって途中で変化するタイプのデータである場合、又は伝送エラーが発生した場合が想定される。再生中に受信形式が変化しなければ、制御部１０５は、本処理を終了する。
【００５４】
一方、受信形式が変化していれば、制御部１０５は、その受信形式をＨＤＭＩポート１２０からＨＤＭＩケーブル２１を介して制御部４に送信する（Ｓ１０６）。これにより、制御部４は、その受信形式を取得する。この受信形式の取得は、ＨＤＭＩ−ＣＥＣ(Consumer Electronic Control)規格で定義されるベンダーコマンドを制御部４と制御部１０５との間で送受信することで達成する。
【００５５】
そして、再生中、Ｓ１０６によって受信形式が送信されてきた場合（Ｓ６のＹ）、制御部４は、その受信形式がＲＡＭ４Ａ上のＥＤＩＤに含まれるかどうか判定する（Ｓ８）。例えば受信形式が解像度720ｐ、アスペクト比４：３である場合、図４に示すＥＤＩＤに含まれているため、判定肯定となる。一方、受信形式が解像度700ｐ、アスペクト比４：３である場合、図４に示すＥＤＩＤに含まれていないため、判定否定となる。その他、受信形式がチャンネル数１ＣＨのみである場合、図４に示すＥＤＩＤに含まれていないため、判定否定となる。
【００５６】
受信形式がＲＡＭ４Ａ上のＥＤＩＤに含まれている場合（Ｓ８のＹ）、制御部４は、Ｓ６に戻り処理を継続する。ここでは、光ディスク９０に記録されているコンテンツデータのシーンが切り換わった場合を想定している。
【００５７】
受信形式がＲＡＭ４Ａ上のＥＤＩＤに含まれていない場合（Ｓ８のＮ）、制御部４は、伝送エラーが発生したと認識し、リカバリ処理を実行する（Ｓ９）。このリカバリ処理とは、画像出力部８と音声出力部９によるコンテンツデータの出力を停止して、所定時間（例えば0.5秒）経過後にコンテンツデータの出力を画像出力部８と音声出力部９に再開させる処理である。これにより、再生画像信号と再生音声信号がテレビジョン１００に再送信される。同出力を再開する際、制御部４は、これから出力する画像データの形式と音声データの形式も制御部１０５に再通知する。
【００５８】
上記リカバリ処理により、再生画像信号に基づく画像が表示部１０２の画面上で適正に表示され、再生音声信号に基づく音声がスピーカ１０４から適正に放音されるようになることがあった。
【００５９】
以上より、この実施形態では、伝送エラーが発生した場合でも、Ｓ９において伝送エラーを検知できる。また、上記リカバリ処理の実行により、画像と音声を適正に出力できない状態から、画像と音声を適正に出力できる状態へ復帰させることができる。
【００６０】
Ｓ９の後、制御部４は、リカバリ処理を実行した回数を示すカウント値を１増加させる（Ｓ１０）。カウント値が所定回数（この実施形態では３回）に達するまで（Ｓ１１）、制御部４はＳ６に戻る。そして、カウント値が所定回数に達すると、制御部４は本処理を異常終了して再生を停止する。そして、制御部４はユーザからの操作入力を待ち受ける入力待ち状態に移行する。この入力待ち状態の間、制御部４は表示部７において伝送エラーが発生した旨を表示させても構わない。これにより、伝送エラーが発生した旨をユーザに通知できる。
【００６１】
なお、画像データと音声データの出力が再開すると、テレビジョン１００の制御部１０５は、再生中、ＨＤＭＩポート１２０で受信される画像データと音声データの形式である受信形式が変化したかどうか監視する（Ｓ１０４、Ｓ１０５）。そして、受信形式が変化していれば、制御部１０５は、受信形式を制御部４に再送信する（Ｓ１０６）。一方、制御部４は、再生中、制御部１０５から受信形式が再送信されてきたかどうか判定する（Ｓ６、Ｓ７）。そして、再生中、Ｓ１０６によって受信形式が送信されてきた場合（Ｓ６のＹ）、制御部４は、その受信形式がＲＡＭ４Ａ上のＥＤＩＤに含まれるかどうか判定する（Ｓ８）。受信形式がＲＡＭ４Ａ上のＥＤＩＤに含まれていない場合（Ｓ８のＮ）、制御部４は、リカバリ処理を再実行し（Ｓ９）、カウント値を１増加させる（Ｓ１０）。
【００６２】
以上より、上記リカバリ処理の実行回数に制限を設けることで、画像と音声を適正に出力できない状態から、画像と音声を適正に出力できる状態又は入力待ち状態へ復帰させることができる。
【符号の説明】
【００６３】
１…光ディスク装置
２…ピックアップヘッド
３…再生部
４…制御部
４Ａ…ＲＡＭ
５…操作部
６…記憶部
７…表示部
８…画像出力部
９…音声出力部
２０…ＨＤＭＩポート
２１…ＨＤＭＩケーブル
９０…光ディスク
１００…テレビジョン
１０１…画像処理部
１０２…表示部
１０３…音声処理部
１０４…スピーカ
１０５…制御部
１２０…ＨＤＭＩポート
【図１】
2010161529.tif 000003
【図２】
2010161529.tif 000004
【図３】
2010161529.tif 000005
【図４】
2010161529.tif 000006
【図５】
2010161529.tif 000007